(57)【要約】 【課題】再生参照光とホログラム記録媒体との位置合わせを精度良く行って、ホログラム記録媒体の再セット時、或いは他装置との互換再生を確実且つ安定に行うこと。【解決手段】シフト多重方式でデータを多重記録されたホログラム記録媒体２４に再生参照光１２ｂを照射し、それにより前記ホログラム記録媒体２４から発生する再生光１３ａを撮像装置２９により受光して再生データを得る際に、前記再生光に含まれる余分な光をカットする絞り２７の表面で反射される光を光検出器３２で検出し、位置制御部３３はこの検出情報に基づいてホログラム記録媒体２４の位置ずれを検出し、この位置ずれが解消されるように駆動機構３４を制御して前記ホログラム記録媒体２４を移動させる。【選択図】図１
2006171593.tif 000002
【特許請求の範囲】
【請求項１】
データをホログラム記録されたホログラム記録媒体に再生参照光を照射し、それにより前記ホログラム記録媒体から発生する再生光を撮像手段により受光して再生データを得るホログラム再生装置であって、
前記再生光に含まれる不要な光をカットして必要な光のみを前記撮像手段に受光させる不要光除去手段と、
前記ホログラム記録媒体、或いは再生参照光光学系を動かす駆動手段と、
前記不要光除去手段によりカットされた光を検出する光検出手段と、
前記光検出手段の検出情報に基づいて前記ホログラム記録媒体の位置ずれを求め、この位置ずれが解消するように前記駆動手段を制御して前記ホログラム記録媒体、或いは光学系を移動させる制御手段と、
を具備することを特徴とするホログラム再生装置。
【請求項２】
前記不要光除去手段は、貫通孔を有する遮光板であり、前記光検出手段は遮光板で反射される散乱光を受光することを特徴とする請求項１記載のホログラム再生装置。
【請求項３】
前記遮光板の表面には当たった光を散乱させる表面加工が施されていることを特徴とする請求項２記載のホログラム再生装置。
【請求項４】
前記不要光除去手段は、反射部分を有する透明光板であり、前記光検出手段は透明光板を透過した光を受光することを特徴とする請求項１記載のホログラム再生装置。
【請求項５】
前記不要光除去手段は、反射部分を有する透明光板であり、前記光検出手段は反射部分により反射した光を受光することを特徴とする請求項１記載のホログラム再生装置。
【請求項６】
前記光検出手段は、複数の受光部を配列して成る撮像素子であることを特徴とする請求項１記載のホログラム再生装置。
【請求項７】
前記光検出手段は、前記不要光除去手段が貫通孔を有する遮光板であった場合に、前記貫通孔の周囲に配置される複数の光電変換素子であることを特徴とする請求項１記載のホログラム再生装置。
【請求項８】
前記光電変換素子はピンダイオードであることを特徴とする請求項７記載のホログラム再生装置。
【請求項９】
前記光電変換素子はフォトダイオードを用いることを特徴とする請求項７記載のホログラム再生装置。
【請求項１０】
前記光電変換素子を複数個配置して、検出精度を高めることを特徴とする請求項７記載のホログラム再生装置。
【請求項１１】
データをホログラム記録されたホログラム記録媒体に再生参照光を照射し、それにより前記ホログラム記録媒体から発生する再生光を撮像手段により受光して再生データを得るホログラム再生装置であって、
前記ホログラム記録媒体、或いは再生参照光光学系を動かす駆動手段と、
前記再生光の一部を受光して検出する光検出手段と、
前記光検出手段の検出情報に基づいて前記ホログラム記録媒体の位置ずれを求め、この位置ずれが解消するように前記駆動手段を制御して前記ホログラム記録媒体、或いは再生参照光光学系を移動させる制御手段と、
を具備することを特徴とするホログラム再生装置。
【請求項１２】
前記再生光の一部は、前記再生光光路に配置された光分割手段により得られることを特徴とする請求項１１記載のホログラム再生装置。
【請求項１３】
前記ホログラムの位置ずれを光学系を移動させて解消する場合、光学系の全部または一部を移動することを特徴とする請求項１または１１記載のホログラム再生装置。
【請求項１４】
前記データは前記ホログラム記録媒体に多重記録され、前記ホログラム再生装置は多重記録されたデータを分離して再生する再生手段を具備することを特徴とする請求項１または１１記載のホログラム再生装置。
【請求項１５】
前記データはシフト多重方式、スペックル多重方式、或いは位相相関多重方式のいずれかひとつの方式により前記ホログラム記録媒体に多重記録されていることを特徴とする請求項１４記載のホログラム再生装置。
【請求項１６】
データをホログラム記録されたホログラム記録媒体に再生参照光を照射し、それにより前記ホログラム記録媒体から発生する再生光を撮像手段により受光して再生データを得るホログラム再生方法であって、
前記再生光に含まれる余分な光をカットして必要な光のみを前記撮像手段に受光させる不要光除去過程のカットされた光を検出し、この検出情報に基づいて前記ホログラム記録媒体の位置ずれを検出し、この検出された位置ずれが解消されるように前記ホログラム記録媒体、或いは光学系を移動させることを特徴とするホログラム再生方法。
【請求項１７】
シフト多重方式でデータを多重記録されたホログラム記録媒体に再生参照光を照射し、それにより前記ホログラム記録媒体から発生する再生光を撮像手段により受光して再生データを得るホログラム再生方法であって、
前記再生光の一部を受光して検出し、この検出情報に基づいて前記ホログラム記録媒体の位置ずれを求め、この位置ずれが解消するように前記ホログラム記録媒体、或いは光学系を移動させることを特徴とするホログラム再生方法。
【請求項１８】
前記ホログラム記録媒体の位置ずれは１軸方向の位置ずれであることを特徴とする請求項１６または１７記載のホログラム再生方法。
【請求項１９】
前記ホログラム記録媒体の位置ずれは２軸方向の位置ずれであることを特徴とする請求項１６または１７記載のホログラム再生方法。
【請求項２０】
前記ホログラム記録媒体の位置ずれは３軸方向の位置ずれであることを特徴とする請求校１６または１７記載のホログラム再生方法。
【請求項２１】
前記データは前記ホログラム記録媒体に多重記録され、前記ホログラム再生装置は多重記録されたデータを分離して再生することを特徴とする請求項１６または１７記載のホログラム再生方法。
【請求項２２】
前記データはシフト多重方式、スペックル多重方式、或いは位相相関多重方式のいずれかひとつの方式により前記ホログラム記録媒体に多重記録されていることを特徴とする請求項２１記載のホログラム再生方法。
【発明の詳細な説明】
【技術分野】
【０００１】
本発明は、シフト多重方式でホログラム記録媒体に多重記録したデータを再生するホログラム再生装置及び方法に係り、特に、ホログラム記録媒体を再セットまたは他装置で記録したホログラム記録媒体と交換した時などの互換性の確保に関する。
【背景技術】
【０００２】
従来よりホログラムデータストレージの記録時には、信号光と参照光の２光束が干渉する領域にホログラム記録媒体を配置して、前記２光束の干渉縞をホログラム記録媒体に記録するものである。その際に、ホログラム記録媒体への記録密度を向上させるため、角度多重方式をはじめ、シフト多重方式、スペックル多重方式及び位相コード多重方式などの各種多重方式によるホログラムの多重記録が行われている。
【０００３】
シフト多重方式は信号光と参照光の干渉縞をホログラム記録媒体のある記憶エリアに記録した後、ホログラム記録媒体の記録場所を僅かに移動させて次のホログラムを記録することによって、同一の記憶エリアに異なる記録情報を多重記録する方式である。この方式では信号光と参照光が張る面内方向（イントラック方向）には、一般には数μｍから数十μｍ程度のシフト選択性の実現が可能で、記録情報のクロストークなく、多くの記録が可能である。
【０００４】
他方、このようなホログラム記録装置と対をなすホログラム再生装置では、再生照明光に対してホログラム記録媒体を少しずつ移動させることによって、同一エリアにシフト多重方式で多重記録された記録情報を再生するように構成されている。しかし、シフト選択性が数μｍから数十μｍ程度であるため、再生参照光光学系とホログラム記録媒体との相対的な位置関係が少しでもずれると、目的の記録情報が再生できなくなる。それ故、確実に所望の情報を再生するためには再生参照光光学系とホログラム記録媒体との位置関係を厳密に設定する必要があり、それができないと、ホログラム記録媒体を再セットした時とか、或いは別の装置で再生する場合や別の装置で記録したホログラム記録媒体を再生する場合に互換性がとれず、これが本方式の実用化を妨げている一つの要因となっている。
【０００５】
したがって、ホログラム記録媒体を取り替えたり、他の装置で記録したものを再生したりしなければならない場合、所望の位置に１ミクロン、若しくはそれ以下の精度でホログラム記録媒体を位置決めする位置決め手段が必要であり、この位置決め手段が実用化のために研究がされている（特許文献１参照）。
【特許文献１】特開２０００−２９８８５１号公報  （第３−４頁、第１図）
【発明の開示】
【発明が解決しようとする課題】
【０００６】
しかしながら、上記公知例では、光記録の技術が応用できる反面、別の波長の光を使うことでどちらの光も使える光学系を必要としたり、或いは別途専用の光学系を必要とするため、光学系が複雑で高価になる。調整用の光が別の光であるので記録光、再生光と調整検出光との間に波長の違いがあるため、温度差、光学系や機器の差が調整値に反映され、調整に誤差が生じてしまうなどの問題があった。
【０００７】
また、参照光を球面波にしたり、ディフューザーや、位相マスクなどを用いて、記録媒体に到達するときの波面情報を非対称性にすることで、シフト選択性を更に鋭くして、多重できる情報量を増大させる方式では、光学系とホログラム記録媒体との位置関係を更に厳密に設定する必要があり、同様の問題を抱えている。
【０００８】
本発明は前記事情に鑑み案出されたものであって、本発明の目的は、光学系を複雑にすることなく、再生参照光とホログラム記録媒体との位置合わせを精度良く行って、ホログラム記録媒体の再セット時、或いは他装置との互換再生を確実且つ安定に行うことができるホログラム再生装置及びホログラム再生方法を提供することにある。
【課題を解決するための手段】
【０００９】
本発明は上記目的を達成するため、データをホログラム記録されたホログラム記録媒体に再生参照光を照射し、それにより前記ホログラム記録媒体から発生する再生光を撮像手段により受光して再生データを得るホログラム再生装置であって、前記再生光に含まれる不要な光をカットして必要な光のみを前記撮像手段に受光させる不要光除去手段と、前記ホログラム記録媒体、或いは再生参照光光学系を動かす駆動手段と、前記不要光除去手段によりカットされた光を検出する光検出手段と、前記光検出手段の検出情報に基づいて前記ホログラム記録媒体の位置ずれを求め、この位置ずれが解消するように前記駆動手段を制御して前記ホログラム記録媒体、或いは光学系を移動させる制御手段とを具備することを特徴とする。
【００１０】
また、本発明は、データをホログラム記録されたホログラム記録媒体に再生参照光を照射し、それにより前記ホログラム記録媒体から発生する再生光を撮像手段により受光して再生データを得るホログラム再生方法であって、前記再生光に含まれる余分な光をカットして必要な光のみを前記撮像手段に受光させる不要光除去過程のカットされた光を検出し、この検出情報に基づいて前記ホログラム記録媒体の位置ずれを検出し、この検出された位置ずれが解消されるように前記ホログラム記録媒体、或いは光学系を移動させることを特徴とする。
【００１１】
また、本発明の前記データはシフト多重方式、スペックル多重方式、或いは位相相関多重方式のいずれかひとつの方式により前記ホログラム記録媒体に多重記録されていることを特徴とする。
【００１２】
このように本発明では、ホログラム記録媒体に位置ずれがない正常セット状態では、絞りなどの不要光除去手段は、再生光の中の必要な光（０次光）を通し、隣接記録領域からのクロストーク成分等の不要光を通さずそれらは絞りの表面で散乱光となって反射するが、ホログラム記録媒体に位置ずれがあると、必要な光が絞りを通過できなくなり、それが絞りの表面で散乱光となって反射するため、ホログラム記録媒体の位置ずれに応じて絞りで反射される散乱光の状態が変化する。それを光検出器で検出した検出情報に基づいて、位置ずれがない散乱光の状態になるように、ホログラム記録媒体を移動させて、光学系を複雑にすることなく、正常セット状態にするフィードバック制御を行なうことによって、再生参照光とホログラム記録媒体との位置合わせを精度良く行って、ホログラム記録媒体の再セット時、或いは他装置との互換再生を確実且つ安定に行うようにすることができる。特に、データを例えばシフト多重方式などでホログラム記録媒体に多重記録したような場合は、ホログラム記録媒体の僅かな位置ずれで所望のデータを再生できなくなるため、このような多重記録データを再生する際に本発明は特に有効である。
【発明の効果】
【００１３】
本発明によれば、再生光に含まれる余分な光をカットして必要な光のみを撮像装置に受光させる絞りでカットされた散乱光を受光し、この受光情報に基づいて前記ホログラム記録媒体の位置ずれを検出し、この位置ずれを解消するように前記ホログラム記録媒体、或いは再生参照光光学系を移動させることでホログラム記録媒体を常に正常セット状態にすることにより、再生参照光とホログラム記録媒体との位置合わせを精度良く行って、ホログラム記録媒体の再セット時、或いは他装置との互換再生を確実且つ安定に行うことができる。
また、ホログラム記録媒体の位置ずれを検出するのに再生光を用い、検出のために別の波長の光を用いていないため、光学系は１波長に対応していればよく、且つ別途光学系を設ける必要もないと共に、簡単な構成の位置合わせ制御系を付加するだけであるため、装置の小型化を損なうことなく、安価に上記効果を得ることができると共に、波長の違いによる諸特性（例えば温度特性など）の差異が発生しないためホログラム記録媒体の位置合わせ精度を向上させることができる。
【発明を実施するための最良の形態】
【００１４】
再生参照光とホログラム記録媒体との位置合わせを精度良く行って、光学系を複雑にすることなく、ホログラム記録媒体の再セット時、或いは他装置との互換再生を確実且つ安定に行う目的を、ホログラム記録媒体に再生用参照光を照射することにより生じる再生光に含まれる不要な光をカットして必要な光のみを撮像装置に受光させる絞りでカットされた散乱光を受光し、この受光情報に基づいて前記ホログラム記録媒体の位置ずれを検出して、この位置ずれを解消するように前記ホログラム記録媒体、或いは再生参照光光学系を移動させるフィードバック制御を行うことによって実現した。
【実施例１】
【００１５】
図１は、本発明の第１の実施の形態に係るホログラム再生装置の構成を示したブロック図である。ホログラム再生装置（本例では説明の便宜上記録系を含んでいる）は、レーザ光源２０、偏光ビームスプリッター（ＰＢＳ）２１、空間変調器２２、信号光用レンズ２３、ホログラム記録媒体２４、再生光用レンズ２５、２６、絞り２７、レンズ２８、撮像装置２９、進路変更用ミラー３０、３１、絞り２７からの散乱光を受光するＣＣＤやＣＭＯＳなどの光検出器３２、ホログラム記録媒体２４の位置を制御する位置制御部３３、ホログラム記録媒体２４を移動させる駆動機構３４を有して構成されている。尚、再生機能だけ必要な場合は、偏光ビームスプリッター（ＰＢＳ）２１、空間変調器２２、信号光用レンズ２３は必要なくなる。
【００１６】
次に本実施形態の動作について説明する。レーザ光源２０から出射されたレーザ光１０はＰＢＳ２１によってＰ波１１ａとＳ波１２ａに分けられる。レーザ光源２０は一般的に可視光近辺の波長を発生させるものが用いられる。Ｐ波１１ａは空間変調器２２を通過し、空間変調器２２に表示されているデータページに応じて空間変調されて信号光１１ｂとなる。空間変調器２２は一般的には透過型のＬＣＤパネルや反射型のＬＣＤパネル、或いはＤＭＤ、ＧＬＶなどの画像表示装置に用いられるデバイスを用いる場合が多い。信号光１１ｂはレンズ２３によりホログラム記録媒体２４の記録エリアに集光される。ここで、ホログラム記録媒体２４は必ずしも信号光１１ｂの光軸と垂直に交わる必要はない。
【００１７】
また、Ｓ波１２ａはミラー３０、３１にて、その進路が変更され、参照光１２ｂとなってホログラム記録媒体２４の信号光１１ａの照射範囲をカバーするよう照射される。信号光１１ｂと参照光１２ｂはホログラム記録媒体２４の記録エリアで干渉を起こし、その干渉情報が同記録エリアに記録される。その後、空間変調器２２に次に記録するデータページが表示されると共に、ホログラム記録媒体２４が僅かにシフトし、そこに次に記録するデータページの情報が干渉情報として多重記録される。
【００１８】
次に記録時と同一の参照光１２ｂのみを再生参照光１２ｂとしてホログラム記録媒体２４の記録エリアに照射すると、ホログラム記録媒体２４に記録された干渉情報を反映した回折光が発生し、４ｆ系を形成するレンズ２５、２６を通って再生光１３ａとなり、絞り２７に集光される。回折光が発生する部分と絞り２７の集光部分は鏡像関係になっており、この絞り２７により０次光以外の光や隣接記録エリアからのクロストークによる光が除去され、再生情報を持っている光のみが通過し、これが更にレンズ２８により撮像装置２９に集光され、この撮像装置２９により光電変換されて再生データとなる。
【００１９】
ここで、絞り２７は図２で示すように、遮光板に穴２７ａが開口して形成されている。穴２７ａの大きさは一般的に絞りの限界量に設定されている。そのため、穴２７ａには目的の情報を反映した再生光１３ａの０次光のみが通過する。再生光１３ａの１次光以降の高次光と隣に書かれた情報のクロストーク成分や同じ場所に書かれていても所望の角度ではない回折光は絞られた位置で上記した０次光と光束がずれるため、穴２７ａを通ることができず、遮光板により散乱される。
【００２０】
光検出器３２は遮光板により散乱された余分な光を受光して検出するが、その光は所望する光（０次光）の強度に比べはるかに強度が小さい。その時、絞り２７は図２に示すような状態で目的の０次光は穴２７ａを通過しているため、余分で強度が小さい光が穴２７ａの周囲に散乱されている状態である。尚、遮光板の表面は光が散乱しやすいように加工されていても良く、その方が、光検出器３２に受光される散乱光のレベルを高くすることができる。
【００２１】
しかし、ホログラム記録媒体２４の位置が正規の場所からずれてセットされている場合、所望する光（０次光）が絞り２７の穴２７ａを通過しなくなり、図３に示すように、強度の大きい０次光が穴２７ａの周囲で散乱されて散乱光の状態が変化する。ここで、光検出器３２の受光面は図４に示すような４個の注目受光領域４１、４２、４３、４４が設定されていて、光検出器３２はこれら４個の受光領域の受光レベル差（受光領域４１−受光領域４３及び受光領域４２−受光領域４４）を検出し、そのレベル差の態様で、ホログラム記録媒体２４の位置ずれを検出する。これらレベル差が０でない場合は、遮光板により散乱される光が穴２７ａに対して均等でなく、この場合はホログラム記録媒体２４がずれて、必要な光が穴２７ａの周囲の遮光板の一部に図３に示すように当たっている状態である。一方、これらレベル差が０である場合は、遮光板により散乱される光が穴２７ａに対して均等であり、この場合はホログラム記録媒体２４がずれておらず、従って穴２７ａの周囲の遮光板には不要光のみが図２に示すように均等に当たっている状態である。
【００２２】
次に光検出器３２はホログラム記録媒体２４の位置ずれを是正する駆動制御信号を発生し、この駆動制御信号を駆動機構３４を与えて、ホログラム記録媒体２４を上記した位置ずれが解消するように（上記したレベル差が０になるように）移動させて、ホログラム記録媒体２４を正規の位置に設定する。即ち、絞り２７の遮光板で反射される散乱光の状態を検出する光検出器３２、位置制御部３３、駆動機構３４、ホログラム記録媒体２４の移動、散乱光の状態の変化というフィードバックループにより、ホログラム記録媒体２４が常に位置ずれのない正規の位置に来るような制御が行われる。
【００２３】
本実施形態によれば、再生時に、再生光１３ａから不要な光成分を取り除く絞り２７を通過できずに反射される散乱光の状態を検出し、その検出状態に基づいてホログラム記録媒体２４の正規の位置からのずれを検出し、このずれを無くすようにホログラム記録媒体２４の位置を移動することにより、再生参照光１２ｂの照射ビームとホログラム記録媒体２４の記録エリア（記録領域）との位置関係を、記録時の参照光の照射ビームと同記録エリアとの位置関係を常に同一にすることができ、ホログラム記録媒体２４の再セット、或いは他装置によりシフト多重されたホログラム記録媒体２４の再生を支障なく行うことができる。
【００２４】
また、本実施形態では、ホログラム記録媒体２４の位置ずれを検出するのに再生光を用いており、検出のために別の波長の光を用いていないため、光学系は従来通りで良く、且つ別途光学系を設ける必要もないと共に、簡単な構成の位置合わせ制御系を付加するだけであるので、装置の小型化を損なうことなく、安価に上記効果を得ることができると共に、波長の違いによる諸特性（例えば温度特性など）の差異が発生しないためホログラム記録媒体２４の位置合わせを精度よく行うことができる。
【実施例２】
【００２５】
図５は、本発明の第２の実施の形態に係るホログラム再生装置の要部の構成を示したブロック図である。但し、第１の実施形態と同様の部分には同一符号を付して説明する。本実施形態では、絞りを用いず、ミラー５１に置き換える。ミラー５１は０次光が当たる部分のみ、反射するようになっており、他の部分は透過する構造となっており、他の構成は第１の実施の形態と同様である。従って、レンズ２６によりミラー５１に入射する再生光の０次光はホログラム記録媒体のセット位置が正しければ、ミラー５１の反射部分に当たって反射し、その進路を変え、更にレンズ２８により撮像装置２９に集光される。
【００２６】
一方、再生光の中の０次光以外の光は、ミラー５１を透過し、そのまま直進して光検出器３２に到達する。光検出器３２の受光面では、ホログラム記録媒体が正しい位置にある時は、０次光以外の光が第１の実施の形態と同様の４個の注目受光領域に均等に広がっているが、ホログラム記録媒体のセット位置がずれていると、０次光の一部がミラー５１を透過して、光検出器３２の受光面に到達すると共に、４個の注目受光領域の受光量が不均一になるため、第１の実施の形態と同様に、これら注目受光領域の受光信号の差分によりホログラム記録媒体のずれを検出し、このずれに応じてホログラム記録媒体を移動して正規の位置に設定する制御を行う。
【００２７】
本実施の形態も、第１の実施の形態と同様の効果があるが、ミラー５１は０次光の当たる部分のみを反射させる構成に限ることなく、逆に０次光を通過させ、その回りの余分な光が反射する構造としても、撮像装置２９と光検出器３２を入れ替えるだけで、同様の作用効果を得ることができる。いずれの構成にするかはミラー５１の材料と光学特性から最適な方法を選択すればよい。
【実施例３】
【００２８】
図６は、本発明の第３の実施の形態に係るホログラム再生装置の要部の構成を示したブロック図である。但し、第１の実施形態と同様の部分には同一符号を付して説明する。本実施形態の光検出器は、絞り２７の前面に、Ｐｉｎダイオード、フォトダイオードなどの光の強度を検出できる受光素子６１を穴２７ａを中心にして４方向に配置し、これら４方向のＰｉｎダイオードの受光情報を位置制御部に渡すことで、ホログラム記録媒体の位置ずれを検出し、以降は、第１の実施の形態と同様の制御を行って、同様の効果を得ることができる。尚、この場合は、光検出器３２が絞り２７の前面に設けられているため、更に装置を小形化することができる。
【００２９】
前記光検出器はより小さい素子をアレイ状に配置し、複数個素子を用いて場所を検出することで、より正確な位置ずれを検出することが可能となる。
【実施例４】
【００３０】
図７は、本発明の第４の実施の形態に係るホログラム再生装置の要部の構成を示したブロック図である。但し、第１の実施形態と同様の部分には同一符号を付して説明する。本実施形態では、再生光レンズ２６と絞り２７の間にビームスプリッター（ハーフミラーでもよい）３６が配置され、このビームスプリッター３６でレンズ２６より入射される再生光を二つに分割している。一方の再生光は絞り２７を介し、更にレンズ２８により撮像装置２９に集光され、この撮像装置２９により再生画像データに変換される。ビームスプリッター３６で分割された他方の再生光は光検出器３２に集光される。他の構成は第１の実施の形態と同様である。
【００３１】
３２の光検出器はＣＣＤやＣＭＯＳなどの撮像素子や、フォトディテクターアレイなどが考えられる。
【００３２】
ここで、ホログラム記録媒体２４に位置ずれが生じると、光検出器３２に集光される再生光の位置もずれるため、光検出器３２の受光面に設けられた図４に示すような４つの受光領域４１〜４４の受光レベルが変化し、第１の実施の形態と同様にこれらの受光領域の差分情報にホログラム記録媒体２４の位置ずれ情報が反映される。そのため、位置制御部３３は光検出器３２の受光情報に基づいて、ホログラム記録媒体２４の位置ずれを検出し、この位置ずれが解消されるようにホログラム記録媒体２４の位置を移動させる制御を行う。これにより、本実施形態も第１の実施の形態と同様の効果がある。
【００３３】
尚、本発明は上記実施の形態に限定されることなく、その要旨を逸脱しない範囲において、具体的な構成、機能、作用、効果において、他の種々の形態によっても実施することができる。例えば、第１の実施の形態では、光検出部３２をＣＣＤやＣＭＯＳセンサーなどの撮像素子を用いたが、単に光の強弱のみを検出する単一のフォトダイオードのようなもので構成し、このフォトダイオードで絞り２７の遮光板から反射される散乱光を受光した状態で、ホログラム記録媒体２４を少なくとも２方向に移動する。
【００３４】
それにより、散乱光が変化し、その変化パターンを位置制御部３３で検出する。この変化パターンはホログラム記録媒体２４のずれに応じて固有のパターンとなるため、この変化パターンから逆にホログラム記録媒体２４のずれを検出し、このずれがなくなるように駆動機構３４によりホログラム記録媒体２４を移動させることにより、正規の位置にホログラム記録媒体２４を設定することができる。
【００３５】
また、上記第１の実施の形態では、図４に示すように４個の受光領域４１〜４４から得られる受光情報を用いて、ホログラム記録媒体２４のずれを検出したが、これは最低２領域であれば、１軸方向のホログラム記録媒体２４のずれを検出して是正でき、３領域であれば２軸のずれを検出できる。また、検出領域は５領域以上あっても良い。
【００３６】
また、上記実施の形態ではホログラム記録媒体２４のずれを、このホログラム記録媒体２４を移動させることにより是正したが、参照光光学系若しくは再生光光学系を移動させて是正しても同様の効果がある。
【００３７】
また、参照光を非対象性を有するような球面波にしたり、ディフューザーや、位相マスクなどを用いて、記録媒体に到達するときの波面情報を非対称性にすることで、シフト選択性を更に鋭くして、記録密度を向上させたスペックル多重方式で多重記録されたホログラム記録媒体を再生する際にも、本発明を適用して同様の効果を得ることができる。或いは、参照光を空間光変調器で光位相変調して様々な位相を有する参照光を生成し、各参照光毎に信号光と干渉させてホログラム記録媒体の同一記録領域に多重記録する位相相関多重方式で多重記録されたホログラム記録媒体を再生する際にも、本発明を適用して同様の効果を得ることができる。更に、多重記録をしていない通常記録のホログラム記録媒体を再生する場合でも本発明を適用して同様の効果を得ることができる。
【００３８】
また、上記実施形態ではホログラム記録媒体２４の位置ずれを解消するのに、ホログラム記録媒体２４を移動させたが、参照光光学系を移動してホログラム記録媒体２４の位置ずれを解消しても良い。その場合、光学系の全体を移動するのでなく、例えば再生光用レンズなどの光学系の一部を移動して前記位置ずれを解消することもできる。
【００３９】
また、上記実施形態では、フォーカス方向（再生光の光軸方向）の位置ずれの解消について言及していなかったが、ホログラム記録媒体２４をフォーカス方向に移動させて、検出器３２の全ての受光領域の受光信号を加算した信号の最低レベルを求め、その最低レベルが求まったホログラム記録媒体２４の位置が、撮像装置に対して再生光のフォーカスが合った位置となり、同様の構成でフォーカス方向の位置決めを行うこともできる。
【図面の簡単な説明】
【００４０】
【図１】本発明の第１の実施の形態に係るホログラム再生装置の構成を示したブロック図である。
【図２】図１に示した絞りに再生光が照射されている状態を示した図である。
【図３】図１に示した絞りに再生光が照射されている他の状態を示した図である。
【図４】図１に示した光検出器の受光面を示した図である。
【図５】本発明の第２の実施の形態に係るホログラム再生装置の要部の構成を示したブロック図である。
【図６】本発明の第３の実施の形態に係るホログラム再生装置の要部の構成を示したブロック図である。
【図７】本発明の第４の実施の形態に係るホログラム再生装置の要部の構成を示したブロック図である。
【符号の説明】
【００４１】
２０……レーザ光源、２１……偏光ビームスプリッター（ＰＢＳ）、２２……空間変調器、２３……信号光用レンズ、２４……ホログラム記録媒体、２５、２６……再生光用レンズ、２７……絞り、２８……レンズ、２９……撮像装置、３０、３１……進路変更用ミラー、３２……光検出器、３３……位置制御部、３４……駆動機構、３６……ビームスプリッター（ＢＳ）、５１……ミラー、６１……受光素子。
【図１】
2006171593.tif 000003
【図２】
2006171593.tif 000004
【図３】
2006171593.tif 000005
【図４】
2006171593.tif 000006
【図５】
2006171593.tif 000007
【図６】
2006171593.tif 000008
【図７】
2006171593.tif 000009